(57)【要約】【課題】雌型同軸コネクタの接地用端子と雄型同軸コネクタの接地用端子間の接触を安定化させる。【解決手段】雌型同軸コネクタに雄型同軸コネクタが接続された状態では、雌型同軸コネクタの接地用端子３及び固定部材２に雄型同軸コネクタの接地用端子が挿入され、接地用端子３内側のくびれ部位３ａが僅かに押し広げられて雄型同軸コネクタの接地用端子外周に一様に接触し、固定部材２が雄型同軸コネクタの接地用端子先端を保持する。また、雌型同軸コネクタ中央の信号端子に雄型同軸コネクタ中央の信号端子が挿入されて、それぞれの信号端子が接触する。【選択図】図１
2005063919.tif 000002
【特許請求の範囲】
【請求項１】
雌型同軸コネクタの内側に円筒状の接地用端子を設け、円筒状の接地用端子の側周に該接地用端子内側に突出する環状のくびれを形成したことを特徴とする同軸コネクタ。
【請求項２】
円筒状の接地用端子を位置決めするためのストッパーを設けたことを特徴とする請求項１に記載の同軸コネクタ。
【請求項３】
雌型同軸コネクタの内側で、円筒状の固定部材を円筒状の接地用端子に並設したことを特徴とする請求項１に記載の同軸コネクタ。
【請求項４】
雌型同軸コネクタは、相互に異なる２つの外径からなる２段状の外殻を有することを特徴とする請求項１に記載の同軸コネクタ。
【請求項５】
雄型同軸コネクタに円筒状の接地用端子を設け、円筒状の接地用端子の側周に該接地用端子外側に突出する環状のふくらみを形成したことを特徴とする同軸コネクタ。
【請求項６】
雄型同軸コネクタは、相互に異なる２つの外径からなる２段状の外殻を有することを特徴とする請求項５に記載の同軸コネクタ。
【発明の詳細な説明】
【技術分野】
【０００１】
本発明は、ＩＥＣ（International Electrotechnical Commission）等により規格化されている同軸コネクタに関する。
【背景技術】
【０００２】
周知の様にＩＥＣ等により規格化されている同軸コネクタは、高周波電子機器と同軸ケーブル間の接続に用いられている。例えば、テレビジョンセット等の受信機のフロントエンド（電子チューナ）の入力端子として取り付けられ、アンテナ等から延長されてきた同軸ケーブルに接続される。このとき、同軸コネクタをテレビジョンセットの接地点に接続する必要がある。仮に、接地点に接続することができなければ、同軸コネクタを通じて入力される受信信号にノイズが乗り易くなり、テレビジョンセットの受像画面にちらつきやビートが発生する。
【０００３】
図４（ａ）及び（ｂ）は、従来の雌型同軸コネクタを概略的に示す断面図及び正面図である。この雌型同軸コネクタは、円筒状の外殻１０１内側に円筒状に巻かれた接地用端子１０２を設け、円筒状の中央に信号端子（図示せず）を配置し、接地用端子１０２と信号端子間に絶縁部材（図示せず）を介在させたものである。
【０００４】
接地用端子１０２は、図５に示す様な平板状の導体板の複数箇所を凹ませて、裏面の複数箇所に凸部１０２ａを形成し、裏面を内側にして、導体板を円筒状に巻いたものである。従って、円筒状の接地用端子１０２の内側には、複数の凸部１０２ａがある。
【０００５】
尚、各凸部１０２ａの周囲にスリットを適宜に形成し、各凸部１０２ａを円筒状の接地用端子１０２の内側に突出させ易くしても良い。
【０００６】
この様な雌型同軸コネクタには、同軸ケーブル一端の雄型同軸コネクタが接続される。このとき、図４（ｂ）に示す様に雌型同軸コネクタの接地用端子１０２に雄型同軸コネクタの接地用端子１０３が挿入されて、接地用端子１０２内側の各凸部１０２ａが接地用端子１０３に接触する。また、雌型同軸コネクタ中央の信号端子に雄型同軸コネクタ中央の信号端子が挿入されて、それぞれの信号端子が接触する。
【発明の開示】
【発明が解決しようとする課題】
【０００７】
しかしながら、従来は、図４（ｂ）から明らかな様に接地用端子１０２内側の各凸部１０２ａが接地用端子１０３に接触しており、接地用端子１０２の内周と接地用端子１０３の外周が一様に接触しているわけではないので、雌型もしくは雄形の同軸コネクタの回転や挿入角度の変化により、接地用端子１０２と接地用端子１０３間の接触抵抗が変化して、両者間に電位差が生じた。このため、例えばテレビジョンセットにおいては、画質の低下が生じた。
【０００８】
また、テレビジョンセットでは、フロントエンドの接地点とテレビジョンセット側キャビネットの接地点が電気的に離間していることがある。この場合は、同軸コネクタをテレビジョンセット側キャビネットに取り付けただけでは、フロントエンドの接地点とテレビジョンセット側キャビネットの接地点が接続されないので、両者間に導電体を挿入して、両者の接地点を接続する必要があり、テレビジョンセットの組み立て作業効率の悪化及びコストアップの要因となった。
【０００９】
そこで、本発明は、上記従来の問題点に鑑みてなされたものであり、雌型同軸コネクタの接地用端子と雄型同軸コネクタの接地用端子間の接触を安定化させることができ、また同軸コネクタの取り付け箇所での接地が容易な同軸コネクタを提供することを目的とする。
【課題を解決するための手段】
【００１０】
上記課題を解決するために、本発明は、雌型同軸コネクタの内側に円筒状の接地用端子を設け、円筒状の接地用端子の側周に該接地用端子内側に突出する環状のくびれを形成している。
【００１１】
また、本発明においては、円筒状の接地用端子を位置決めするためのストッパーを設けている。
【００１２】
更に、本発明においては、雌型同軸コネクタの内側で、円筒状の固定部材を円筒状の接地用端子に並設している。
【００１３】
また、本発明においては、雌型同軸コネクタは、相互に異なる２つの外径からなる２段状の外殻を有している。
【００１４】
一方、本発明は、雄型同軸コネクタに円筒状の接地用端子を設け、円筒状の接地用端子の側周に該接地用端子外側に突出する環状のふくらみを形成している。
【００１５】
また、本発明においては、雄型同軸コネクタは、相互に異なる２つの外径からなる２段状の外殻を有している。
【発明の効果】
【００１６】
本発明によれば、雌型同軸コネクタの接地用端子の側周に該接地用端子内側に突出する環状のくびれを形成している。このため、雌型同軸コネクタに雄型同軸コネクタが接続された状態では、雌型同軸コネクタの接地用端子のくびれが雄型同軸コネクタの接地用端子外周に一様に接触する。これにより、雌型同軸コネクタの接地用端子と雄型同軸コネクタの接地用端子間の接触が安定化する。
【００１７】
また、円筒状の接地用端子を位置決めするためのストッパーを設けているので、円筒状の接地用端子が移動せず、この円筒状の接地用端子と雄型同軸コネクタの接地用端子間の接触がより安定化する。
【００１８】
更に、雌型同軸コネクタの内側で、円筒状の固定部材を円筒状の接地用端子に並設しているので、雌型同軸コネクタに雄型同軸コネクタを接続した状態では、雌型同軸コネクタの接地用端子だけでなく、固定部材にも、雄型同軸コネクタの接地用端子が挿入されることになる。これにより、雌型同軸コネクタの内側では、雄型同軸コネクタの接地用端子が確実に位置決めされ、雌型同軸コネクタの接地用端子と雄型同軸コネクタの接地用端子間の接触がより安定化する。
【００１９】
また、雌型同軸コネクタが相互に異なる２つの外径からなる２段状の外殻を有しているので、例えばテレビジョンセット側キャビネットに、雌型同軸コネクタの小さな外径部位を挿入し得る孔を形成して、この孔に雌型同軸コネクタを挿入すれば、雌型同軸コネクタの大きな外形部位がテレビジョンセット側キャビネットに接触することになり、雌型同軸コネクタの接地用端子をテレビジョンセット側キャビネットに接触させることが容易になる。
【００２０】
一方、本発明によれば、雄型同軸コネクタの接地用端子の側周に該接地用端子外側に突出する環状のふくらみを形成している。この場合は、雌型同軸コネクタに雄型同軸コネクタが接続されると、雄型同軸コネクタの接地用端子のふくらみが雌型同軸コネクタの接地用端子内周に一様に接触し、雌型同軸コネクタの接地用端子と雄型同軸コネクタの接地用端子間の接触が安定化する。
【００２１】
また、雄型同軸コネクタが相互に異なる２つの外径からなる２段状の外殻を有しているので、例えばテレビジョンセット側キャビネットに、雄型同軸コネクタの小さな外径部位を挿入し得る孔を形成して、この孔に雄型同軸コネクタを挿入すれば、雄型同軸コネクタの大きな外形部位がテレビジョンセット側キャビネットに接触することになり、雄型同軸コネクタの接地用端子をテレビジョンセット側キャビネットに接触させることが容易になる。
【発明を実施するための最良の形態】
【００２２】
以下、本発明の実施形態を添付図面を参照しつつ詳細に説明する。
【実施例１】
【００２３】
図１は、本発明の同軸コネクタの実施例１を概略的に示す断面図である。本実施例の同軸コネクタは、ＩＥＣの規格に適合する雌型ものである。この雌型同軸コネクタでは、円筒状の外殻１内側の段差部位１ａに円筒状の固定部材２を嵌合させて設け、更に外殻１内側に円筒状の接地用端子３を配置し、各ストッパー４により接地用端子３を固定している。各ストッパー４は、例えば外殻１に形成された凸部もしくは凹部と接地用端子３に形成された凹部もしくは凸部が相互に嵌合する構造である。また、円筒状の中央に信号端子（図示せず）を配置し、円筒状の接地用端子３と信号端子間に絶縁部材（図示せず）を介在させている。
【００２４】
接地用端子３は、図２に示す様に継ぎ目のない円筒であり、その側周に該接地用端子３内側に突出する環状のくびれ部位３ａを形成されている。また、接地用端子３は、十分な弾性を有する導電体かなり、変形可能である。
【００２５】
ここで、本実施形態の雌型同軸コネクタに雄型同軸コネクタが接続された状態では、雌型同軸コネクタの接地用端子３及び固定部材２に雄型同軸コネクタの接地用端子が挿入され、接地用端子３内側のくびれ部位３ａが僅かに押し広げられて雄型同軸コネクタの接地用端子外周に一様に接触し、固定部材２が雄型同軸コネクタの接地用端子先端を保持する。また、雌型同軸コネクタ中央の信号端子に雄型同軸コネクタ中央の信号端子が挿入されて、それぞれの信号端子が接触する。
【００２６】
この様に雌型同軸コネクタの接地用端子３内側のくびれ部位３ａが雄型同軸コネクタの接地用端子外周に一様に接触すれば、雌型もしくは雄形の同軸コネクタの回転や挿入角度が変化しても、雌型同軸コネクタの接地用端子３と雄形の同軸コネクタの接地用端子間の接触抵抗が変化せず、両者の接地用端子間の接触が安定化する。
【００２７】
また、各ストッパー４により雌型同軸コネクタの接地用端子３が固定されているので、接地用端子３が移動せず、接地用端子３と雄型同軸コネクタの接地用端子間の接触がより安定化する。
【００２８】
更に、雄型同軸コネクタの接地用端子は、接地用端子３に挿入されるだけではなく、固定部材２にも挿入されて保持されるので、雄型同軸コネクタの接地用端子が確実に位置決めされ、雌型同軸コネクタの接地用端子３と雄型同軸コネクタの接地用端子間の接触がより安定化する。
【００２９】
尚、本実施例では、雌型同軸コネクタの接地用端子３の側周に該接地用端子３内側に突出する環状のくびれ部位３ａを形成しているが、この代わりに雄型同軸コネクタの接地用端子の側周に該接地用端子外側に突出する環状のふくらみ部位を形成しても良い。この場合は、雌型同軸コネクタに雄型同軸コネクタが接続されると、雄型同軸コネクタの接地用端子のふくらみ部位が雌型同軸コネクタの接地用端子内周に一様に接触し、雌型同軸コネクタの接地用端子と雄型同軸コネクタの接地用端子間の接触が安定化する。
【実施例２】
【００３０】
図３は、本発明の同軸コネクタの実施例２を概略的に示す断面図である。本実施例の同軸コネクタは、図１の同軸コネクタの外殻１の代わりに、図１の同軸コネクタの外殻１に相当する第1外殻１１と、第１外殻１１後ろ側を覆う第２外殻１２とを設けたものである。第1外殻１１の外径は、第２外殻１２の外径よりも小さくされている。
【００３１】
第1外殻１１は、図１の同軸コネクタの外殻１と同様に、その内側に円筒状の固定部材２、円筒状の接地用端子３、各ストッパー４、信号端子、及び絶縁部材等を備えている。
【００３２】
第２外殻１２は、該第２外殻１２そのものが導電体であって、第１外殻１１内側の円筒状の接地用端子３に接続されるか、又はその端面１２ａに設けられて、接地用端子３に接続された導電体を有する。
【００３３】
この様な雌型同軸コネクタは、例えばテレビジョンセットのキャビネット１３に該雌型同軸コネクタの第1外殻１１よりも僅かに大きな孔を開けて、キャビネット１３の該孔に該雌型同軸コネクタの第1外殻１１を挿入し、該雌型同軸コネクタの第２外殻１２の端面１２ａをキャビネット１３に押し付けた状態で取り付けられる。そして、該雌型同軸コネクタの信号端子がテレビジョンセットの受信機のフロントエンド（電子チューナ）に接続され、該雌型同軸コネクタの接地用端子がフロントエンドの接地点に接続される。また、該雌型同軸コネクタには、アンテナ等から延長されてきた同軸ケーブル一端の雄型同軸コネクタが接続される。
【００３４】
このとき、図１の雌型同軸コネクタと同様に、雌型同軸コネクタの接地用端子３と雄型同軸コネクタの接地用端子が安定的に接続される。
【００３５】
また、雌型同軸コネクタの第２外殻１２の端面１２ａがキャビネット１３に押し付けられており、導電体である第２外殻１２又は第２外殻１２の端面１２ａに設けられた導電体が接地用端子３に接続されているので、雌型同軸コネクタの接地用端子３がキャビネット１３に電気的に接続されることになり、フロントエンドの接地点とテレビジョンセット側キャビネットの接地点が雌型同軸コネクタの接地用端子３を通じて接続される。このため、従来の様にフロントエンドとテレビジョンセット側キャビネット間に導電体を挿入して、両者の接地点を接続する必要がなく、テレビジョンセットの組み立て作業効率の悪化及びコストアップを招くことがない。
【００３６】
尚、先に述べた様に雄型同軸コネクタの接地用端子の側周に該接地用端子外側に突出する環状のふくらみ部位を形成した上で、雄型同軸コネクタの小さな外径の第1外殻と大きな外径の第２外殻を設け、第２外殻の少なくとも一部に導電性を付与して、第２外殻の導電性部分を接地用端子に接続しても良い。
【図面の簡単な説明】
【００３７】
【図１】本発明の同軸コネクタの実施例１を示す断面図である。
【図２】図１の同軸コネクタの接地用端子を示す斜視図である。
【図３】本発明の同軸コネクタの実施例２を示す側面図である。
【図４】（ａ）及び（ｂ）は、従来の雌型同軸コネクタを概略的に示す断面図及び正面図である。
【図５】図４の雌型同軸コネクタにおける接地用端子を展開して示す平面図である。
【符号の説明】
【００３８】
１  外殻
１ａ  段差部位
２  固定部材
３  接地用端子
３ａ  くびれ部位
４  ストッパー
１１  第1外殻
１２  第２外殻
１３  キャビネット
【図１】
2005063919.tif 000003
【図２】
2005063919.tif 000004
【図３】
2005063919.tif 000005
【図４】
2005063919.tif 000006
【図５】
2005063919.tif 000007